(57)【要約】【課題】ロータンクを用いた自動洗浄装置であっても防水防湿措置が不要な駆動手段で排水弁を制御する上水が汚水により汚染されることがなく安全にロータンク装置を提供することができる。【解決手段】便器に洗浄水を供給するロータンク本体内に、上下に駆動可能なオーバーフロー管と、オーバーフロー管の下部に排水弁を有し、オーバーフロー管内に排水弁を開閉可能とする水圧シリンダ装置を備え、水圧シリンダ装置は、排水弁と接続されたピストンと、ピストンを内部に備えるケースと、ケースの内部へ洗浄水を供給する給水制御手段と、ケースの内部から洗浄水を排出する水抜き部とを備え、洗浄水をケース内部へ供給することで、ピストンを可動させて排水弁を開閉するロータンク装置であって、水圧シリンダ装置の少なくとも一部を、オーバーフロー管内に収納したことを特徴とする。【選択図】図１
2010043522.tif 000002
【特許請求の範囲】
【請求項１】
便器に洗浄水を供給するロータンク本体内に、上下に駆動可能なオーバーフロー管と、
該オーバーフロー管の下部に排水弁を有し、
前記排水弁を開閉可能とする水圧シリンダ装置を備え、
前記水圧シリンダ装置は、
前記排水弁と接続されたピストンと、
前記ピストンを内部に備えるケースと、
前記ケースの内部へ洗浄水を供給する給水制御手段と、
前記ケースの内部から洗浄水を排出する排水部とを備え、
洗浄水を前記ケース内部へ供給することで、前記ピストンを可動させて、前記排水弁を開閉するロータンク装置であって、
前記水圧シリンダ装置の少なくとも一部を、前記オーバーフロー管内に収納したことを特徴とするロータンク装置。
【請求項２】
前記オーバーフロー管の外側、または内側の少なくとも１側にオーバーフロー管の動きを規制するガイド部を設けたことを特徴とする請求項１記載のロータンク装置。
【請求項３】
前記排水弁に、オーバーフロー管内に溜まった水を排水する水抜き穴を設けたことを特徴とする請求項１〜２いずれかに記載のロータンク装置。
【請求項４】
前記排水部に、ケース内に供給された洗浄水の排水を制御する排水制御手段を設けたことを特徴とする請求項１〜３いずれかに記載のロータンク装置。
【請求項５】
前記水圧シリンダ装置の上流に、水圧シリンダ装置内への給水量を一定に保つ定流量弁を設けたことを特徴とする請求項１〜４いずれかに記載のロータンク装置。
【請求項６】
前記オーバーフロー管の駆動中心軸と、前記ピストンの駆動中心軸が略同一であることを特徴とする請求項１〜５いずれかに記載のロータンク装置。
【発明の詳細な説明】
【技術分野】
【０００１】
本発明は、便器に洗浄水を供給するロータンク装置に関する。
【背景技術】
【０００２】
手動洗浄方式のロータンク装置は、ロータンクの前面または側面に操作レバーを備え、操作レバーの操作棒の先端がロータンク内に伸びてロータンクの底部に配置されている排水弁と連結され、操作レバーを回すと、操作棒の先端が上がり排水弁を弁座から引き離して開弁させ、便器に洗浄水を流して洗浄を行うものである。  
このような手動洗浄方式のロータンク装置は、操作レバーの操作がないと洗浄が行われないから洗浄忘れといった問題がある。
【０００３】
そこで、この問題を解決するために洗浄水を自動的に流すロータンク装置が用いられた。排水弁の開閉方法としては、操作レバーの代わりにロータンク内にギア付きのモータを設置しモータへの通電を行うことによって排水弁を開弁し、閉弁するときには排水弁の自重で閉弁するモータ式のものがある。 
しかしながら、このモータ式のものにおいては、モータやその周辺部品などがロータンク内に設置されるため、常時水に触れるか高い湿度にさらされ、防水または防湿措置を講じなければならない。また、ロータンク内には、配管や排水弁、オーバーフロー管など多数の部品が配置されており、これらの部分との干渉を避けながら、モータなどを設置する必要があるので、大係りな防水、防湿措置を行うと搭載性が悪化し、ロータンク装置全体を設計し直さなければならない。また、搭載性を確保するために防水性などを犠牲にすると、装置の耐久性、信頼性が低下する問題があった。
【０００４】
そのため、特開2004−332470は、モータ式の問題点に鑑み、ロータンク装置においてモータなどを廃し、防水、防湿措置が不要な水圧駆動手段で排水弁を制御する水圧駆動式のロータンク装置を提供している。 
【特許文献１】特開２００４−３３２４７０号公報（２頁、図１）
【発明の開示】
【発明が解決しようとする課題】
【０００５】
しかしながら、上述した特許文献１に記載の特開2004−332470では水圧シリンダの水抜き部が、ロータンクのオーバーフロー管の流入口よりも低い位置にあったため、水圧シリンダ内が負圧になった場合には、ロータンク内の溜水が水圧シリンダ内に逆流するおそれがあった。そのため、上水が汚水により汚染されるおそれがあった。
【０００６】
そこで、本発明の目的は、排水弁とともに上下に移動するオーバーフロー管内に水圧シリンダーを収納することでロータンク内の溜水が水圧シリンダー内に逆流する恐れのない自動洗浄ロータンク装置を提供することにある。
【課題を解決するための手段】
【０００７】
本発明の一態様によれば、便器に洗浄水を供給するロータンク本体内に、上下に駆動可能なオーバーフロー管と、オーバーフロー管の下部に排水弁を有し、排水弁を開閉可能とする水圧シリンダ装置を備え、水圧シリンダ装置は、排水弁と接続されたピストンと、ピストンを内部に備えるケースと、ケースの内部へ洗浄水を供給する給水制御手段と、ケースの内部から洗浄水を排出する水抜き部とを備え、
洗浄水をケース内部へ供給することで、ピストンを可動させて、排水弁を開閉するロータンク装置であって、水圧シリンダ装置の少なくとも一部を、オーバーフロー管内に収納したロータンク装置が提供される。
【発明の効果】
【０００８】
本発明によると、ロータンク内の溜水上部の空間を狭めることなく、また、逆流を発生させることなく、水圧シリンダ装置をロータンク内部へ設置できる。
そのため、上水が汚水により汚染されることがなく、安全である。
【発明を実施するための最良の形態】
【０００９】
以下、図面を参照に、本発明の実施形態について説明する。
【００１０】
図１は、本発明の実施形態に係るロータンク装置の構成を示す概略図である。
【００１１】
ロータンク装置３０は、便器１に洗浄水を供給するロータンク２内部に、排水弁３を開閉可能とする水圧シリンダ装置６を備える。
【００１２】
排水弁３には、ロータンク２に溜まった過剰水を排水する円筒状で上下に駆動可能なオーバーフロー管４が接続されており、排水弁３と一体に駆動する。
【００１３】
このオーバーフロー管４の外側には、オーバーフロー管の動きを規制するガイド部５が設けられる。そのため、オーバーフロー管４と排水弁３を上下に駆動させるときや閉止しているときに左右の横ブレを規制できるため、排水弁３で確実に止水をすることができる。尚、本実施例では、オーバーフロー管の外側にガイド部を設けたが、オーバーフロー管の内側、または両側にガイド部を設けても良い。
【００１４】
また、オーバーフロー管４の内部には、水圧シリンダ装置６が配設される。そのため、ロータンク内・溜水上部の空間２０を狭めることなく、水圧シリンダ装置６をロータンク内に設置でき、また、水圧シリンダ装置６内に逆流を発生させることがない。そのため、上水が汚水により汚染されることがなく、安全である。
【００１５】
水圧シリンダ装置６は、ケース７内にピストン８を備え、ピストン８は連結部９を介して排水弁３と接続される。このとき、ピストン８はオーバーフロー管４と駆動中心軸が略同一となるように設置される。そのため、ピストン８とオーバーフロー管４が駆動する際に、両者の偏芯により発生する摺動不良を抑えることができる。
【００１６】
さらに、水圧シリンダ装置６は、給水部１０と排水部１１を備えており、給水部１０は給水管１２に接続される。
【００１７】
給水管１２には、水圧シリンダ装置６内への給水を制御する給水制御手段としての給水側電磁弁１３と、水圧シリンダ装置６内への瞬間流量を一定に保つ定流量弁１５を備える。
【００１８】
また、給水側電磁弁１３の上流側の給水管１２は分岐しており、分岐した給水管１２には、ロータンク内の水位を一定量に回復させるボールタップ２０を設ける。
【００１９】
なお、ボールタップとは、ロータンク内の水位が一定になるように、自動的に給水と止水を行うバルブのことである。
【００２０】
さらに、排水部１１には、水圧シリンダ装置６からの排水を制御する排水制御手段としての排水側電磁弁１４が設けられる。この排水側電磁弁１４も水圧シリンダ装置６と同様に、オーバーフロー管４内に設けられる。そのため、ロータンク内・溜水上部の空間２０を狭めることがない。
【００２１】
また、排水弁３には、オーバーフロー管４内に溜まった水を排水する水抜き穴１６が設けられる。
【００２２】
次にロータンク装置の作動について、図１〜図４を用いて説明する。
【００２３】
図１は、本発明の実施形態に係るロータンク装置の、排水弁が閉じられロータンク内の洗浄水を止水している状態を表す概略図である。
図２は、排水弁が開いてロータンクから便器側へ排水を行っている状態を表す概略図である。
図３は、排水弁が閉じられロータンクから便器側への排水が終了したときの状態を表す概略図である。
図４は、便器封水のための給水を行っている状態を表す概略図である。
【００２４】
図１の状態から、大洗浄または小洗浄が操作されたことを検知して、給水側電磁弁１３を開に駆動させることで、水圧シリンダ装置６内に洗浄水が供給され、圧力室１７内に給水側の圧力（１次圧）がかかる。
【００２５】
すると、図２のように、１次圧を受けてピストン８が上へ移動し、連結部９と排水弁３を上方に引き上げ、便器１の洗浄を開始する。
【００２６】
所定時間（例えば、大洗浄３秒・小洗浄２秒）経過した後に、給水側電磁弁１３を閉に駆動させ、さらに排水側電磁弁１４を開に駆動させると、圧力室１７に溜まっていた洗浄水は排水部１１から徐々に流出する。流出に伴いピストン８と排水弁３は自重により下降し、図３のように排水弁３が閉止することで、便器の洗浄が終了する。
【００２７】
また、ボールタップ２０によって、溜水の最大水位WLになるまで、ロータンク２内へ給水される。
【００２８】
さらに、排水部１１から流出する洗浄水は水抜き穴１６を通って便器側へと排水される。
【００２９】
このように、水抜き穴１６を設けることで、圧力室１７から排水された水や、ロータンク２からオーバーフロー管４内へ溢れ出た過剰水を、水抜き穴１６を介して排水できる。
【００３０】
また、水抜き穴１６を設けることで、ロータンク２内に貯水されている洗浄水が、排水弁３を開いたときに、便器側ではなく排水弁３下部からオーバーフロー管４内へと一気に逆流してしまうことも抑制することができ、水圧シリンダ装置６が水に浸されることを防止できる。
【００３１】
また、便器洗浄後は、便器内の封水が低下した状態になるため、便器へ一定量を給水して封水を復活させる必要がある。
【００３２】
そのため、図４のように、排水側電磁弁１４を開の状態に保ったまま、給水側電磁弁１３を一定時間、開にしておくことで、排水部１１と水抜き穴１６を通って、便器１へと封水のための給水がなされる。
【００３３】
このとき、給水管１２には定流量弁１５が備わっているため、給水側電磁弁１３を一定時間、開しておくことで、大洗浄、小洗浄に関わらず、一定量を便器封水へと給水することができ、節水につなげることができる。
【図面の簡単な説明】
【００３４】
【図１】本発明の実施形態に係るロータンク装置の、排水弁が閉じられロータンク内の洗浄水を止水している状態を表す概略図である。
【図２】排水弁が開いてロータンクから便器側へ排水を行っている状態を表す概略図である。
【図３】排水弁が閉じられロータンクから便器側への排水が終了したときの状態を表す概略図である。
【図４】便器封水のための給水を行っている状態を表す概略図である。
【符号の説明】
【００３５】
１    便器
２    ロータンク
３    排水弁
４    オーバーフロー管
５    ガイド部
６    水圧シリンダ装置
７    ケース
８    ピストン
９    連結部
１０    給水部
１１    排水部
１２    給水管
１３    給水側電磁弁
１４    排水側電磁弁
１５    定流量弁
１６    水抜き穴
１７    圧力室
２０    ボールタップ  
３０    ロータンク装置
WL    溜水の最大水位
【図１】
2010043522.tif 000003
【図２】
2010043522.tif 000004
【図３】
2010043522.tif 000005
【図４】
2010043522.tif 000006